(57)【要約】【課題】パケットの送信元を適切に認証してセキュリティを確保する。【解決手段】パケットを受信する車載機８は、回線交換方式による呼に基づいてセンター側端末２または移動通信網１３から通知された発信者電話番号と、パケット交換方式による呼に基づいてセンター側端末２から通知されたパケットに送信元情報として格納されている電話番号とを照合し、それら両者が一致すると、これ以降のデータが格納されたパケットの受信を許可する。パケットの送信元が回線交換方式による呼の相手先であることを確認することにより、パケットの送信元を認証した上でデータが格納されたパケットを受信でき、セキュリティを適切に確保できる。【選択図】  図１
2004241982.tif 000002
【特許請求の範囲】
【請求項１】
各々が回線交換方式による移動通信とパケット交換方式による移動通信とを同時に行うことが可能に構成された第１の通信端末および第２の通信端末を備えた移動通信システムであって、
第１の通信端末は、回線交換方式により第２の通信端末を発信先として発信した後に、第２の通信端末を呼出している途中または第２の通信端末との間で回線交換方式による呼を確立している途中で、自己を識別する識別番号が送信元情報として格納されると共に第２の通信端末を識別する識別番号が送信先情報として格納されたパケットを移動通信網に送信し、
第２の通信端末は、移動通信網から第１の通信端末を識別する識別番号が送信元情報として格納されると共に自己を識別する識別番号が送信先情報として格納されたパケットが受信されると、第１の通信端末または移動通信網から通知された発信者電話番号と、移動通信網から受信されたパケットに送信元情報として格納されている識別番号とを照合し、それら両者が一致したときに、これ以降のデータが格納されたパケットの受信を許可することを特徴とする移動通信システム。
【請求項２】
請求項１に記載した移動通信システムにおいて、
第２の通信端末は、予め電話帳データを保持しており、第１の通信端末または移動通信網から発信者電話番号が通知されると、第１の通信端末または移動通信網から通知された発信者電話番号と、電話帳データとして記憶されている電話番号とを照合し、それら両者が一致したときに、移動通信網からのパケットの受信を待機することを特徴とする移動通信システム。
【請求項３】
請求項１または２に記載した移動通信システムにおいて、
第１の通信端末は、第２の通信端末を呼出している途中で、データが格納されたパケットを移動通信網に送信することを特徴とする移動通信システム。
【請求項４】
請求項１または２に記載した移動通信システムにおいて、
第１の通信端末は、第２の通信端末との間で回線交換方式による呼を確立している途中で、データが格納されたパケットを移動通信網に送信することを特徴とする移動通信システム。
【請求項５】
請求項１または２に記載した移動通信システムにおいて、
第１の通信端末は、第２の通信端末との間で回線交換方式による呼を解放した後に、データが格納されたパケットを移動通信網に送信することを特徴とする移動通信システム。
【請求項６】
回線交換方式による移動通信とパケット交換方式による移動通信とを同時に行うことが可能に構成された通信端末であって、
回線交換方式により他の通信端末を発信先として発信した後に、他の通信端末を呼出している途中または他の通信端末との間で回線交換方式による呼を確立している途中で、自己を識別する識別番号が送信元情報として格納されると共に他の通信端末を識別する識別番号が送信先情報として格納されたパケットを移動通信網に送信することを特徴とする通信端末。
【請求項７】
回線交換方式による移動通信とパケット交換方式による移動通信とを同時に行うことが可能に構成された通信端末であって、
移動通信網から他の通信端末を識別する識別番号が送信元情報として格納されると共に自己を識別する識別番号が送信先情報として格納されたパケットが受信されると、他の通信端末または移動通信網から通知された発信者電話番号と、移動通信網から受信されたパケットに送信元情報として格納されている識別番号とを照合し、それら両者が一致したときに、これ以降のデータが格納されたパケットの受信を許可することを特徴とする通信端末。
【発明の詳細な説明】
【０００１】
【発明の属する技術分野】
本発明は、各々が回線交換方式による移動通信とパケット交換方式による移動通信とを同時に行うことが可能に構成された第１の通信端末および第２の通信端末を備えた移動通信システムおよび前記移動通信システムで用いられる通信端末に関する。
【０００２】
【従来の技術】
従来より、２つの通信端末をＩＳＤＮ回線で接続し、発信側端末から着信側端末に一方のＢチャンネルと他方のＢチャンネルとの２チャンネルで別々のデータを送信する通信システムがある（例えば特許文献１参照）。
【０００３】
【特許文献１】
特開平１０−３２７２１１号公報
【０００４】
【発明が解決しようとする課題】
ところで、近年、ＴＣＰ／ＩＰに準拠したパケット交換方式によるデータ通信が主流となっているが、その一方で、セキュリティの問題から、パケットの送信元を認証する仕組みが必要となってきている。このような事情から、例えばデジタルＩＤを利用した署名による方法が利用されているが、この方法では、コンピュータの演算速度が向上すれば、その分、解読時間が短縮されてしまうことになるので、セキュリティの強度としては十分ではないという問題がある。
【０００５】
そこで、上記した特許文献１に記載したように、２つの通信端末をＩＳＤＮ回線で接続し、発信側端末から着信側端末に一方のＢチャンネルと他方のＢチャンネルとの２チャンネルで別々のデータを送信することにより、パケットの送信元を認証することが考えられる。
【０００６】
しかしながら、上記した特許文献１では、２つの通信端末をＩＳＤＮ回線で接続することが前提になるので、２つの通信端末が固定通信網を通じて通信する固定通信システムでは適用することができるが、２つの通信端末が移動通信網を通じて通信する移動通信システムでは適用することができない。ところが、近年では、例えばセンター側端末が車載機にデータを配信するアプリケーションに代表されるように、移動通信を利用したアプリケーションが広く普及していることを鑑みると、移動通信システムにおいて、パケットの送信元を認証してセキュリティを適切に確保する技術は必要である。
【０００７】
本発明は、上記した事情に鑑みてなされたものであり、その目的は、２つの通信端末が移動通信網を通じて通信する移動通信システムにおいて、パケットを受信する側がパケットの送信元を認証した上でデータが格納されたパケットを受信することができ、それにより、セキュリティを適切に確保することができる移動通信システムおよび通信端末を提供することにある。
【０００８】
【課題を解決するための手段】
請求項１に記載した移動通信システムによれば、第１の通信端末は、回線交換方式による移動通信とパケット交換方式による移動通信とを同時に行うことが可能に構成されており、回線交換方式により第２の通信端末を発信先として発信した後に、第２の通信端末を呼出している途中または第２の通信端末との間で回線交換方式による呼を確立している途中で、自己を識別する識別番号が送信元情報として格納されると共に第２の通信端末を識別する識別番号が送信先情報として格納されたパケットを移動通信網に送信する。
【０００９】
第２の通信端末は、第１の通信端末と同様にして回線交換方式による移動通信とパケット交換方式による移動通信とを同時に行うことが可能に構成されており、移動通信網から第１の通信端末を識別する識別番号が送信元情報として格納されると共に自己を識別する識別番号が送信先情報として格納されたパケットが受信されると、第１の通信端末または移動通信網から通知された発信者電話番号と、移動通信網から受信されたパケットに送信元情報として格納されている識別番号とを照合し、それら両者が一致すると、これ以降のデータが格納されたパケットの受信を許可する。
【００１０】
すなわち、このものでは、パケットを受信する第２の通信端末では、回線交換方式による呼に基づいて第１の通信端末または移動通信網から通知された発信者電話番号と、パケット交換方式による呼に基づいて第１の通信端末から通知された送信元情報として格納されている識別番号とを照合し、それら両者が一致したことを条件として、これ以降のデータが格納されたパケットの受信を許可するようになる。これにより、パケットを受信する第２の通信端末では、パケットの送信元が回線交換方式による呼の相手先であることを確認することにより、パケットの送信元を認証した上でデータが格納されたパケットを受信することができ、セキュリティを適切に確保することができる。
【００１１】
請求項２に記載した移動通信システムによれば、第２の通信端末は、予め電話帳データを保持しており、第１の通信端末または移動通信網から発信者電話番号が通知されると、通知された発信者電話番号と、電話帳データとして記憶されている電話番号とを照合し、それら両者が一致すると、移動通信網からのパケットの受信を待機する。
【００１２】
これにより、パケットを受信する第２の通信端末では、回線交換方式による呼に基づいて第１の通信端末または移動通信網から通知された発信者電話番号と、パケット交換方式による呼に基づいて第１の通信端末から通知された送信元情報として格納されている識別番号とを照合するのに先立って、回線交換方式による呼に基づいて第１の通信端末または移動通信網から通知された発信者電話番号と、予め電話帳データとして記憶されている電話番号とを照合し、それら両者が一致したことを条件として、移動通信網からのパケットの受信を待機するようになるので、セキュリティの強度を高めることができる。
【００１３】
請求項３に記載した移動通信システムによれば、第１の通信端末は、第２の通信端末を呼出している途中で、データが格納されたパケットを移動通信網に送信する。これにより、パケットを送信する第１の通信端末では、第２の通信端末との間で回線交換方式による呼を確立することなく、データが格納されたパケットを送信するようになるので、回線交換方式による接続料金を不要とすることができ、経済性を高めることができる。
【００１４】
請求項４に記載した移動通信システムによれば、第１の通信端末は、第２の通信端末との間で回線交換方式による呼を確立している途中で、データが格納されたパケットを移動通信網に送信する。これにより、パケットを送信する第１の通信端末では、第２の通信端末との間で回線交換方式による呼を確立しながら、データが格納されたパケットを送信するようになるので、例えば回線交換方式により音声をも同時に送信することができ、利便性を高めることができる。
【００１５】
請求項５に記載した移動通信システムによれば、第１の通信端末は、第２の通信端末との間で回線交換方式による呼を解放した後に、データが格納されたパケットを移動通信網に送信する。これにより、パケットを送信する第１の通信端末では、第２の通信端末との間で回線交換方式による呼を占有することなく、データが格納されたパケットを送信するようになるので、その分、他の通信端末の発信を妨げることがなく、他の通信端末の発信成功率を高めることができる。
【００１６】
【発明の実施の形態】
以下、本発明を、第１の通信端末をセンターに設置されているセンター側端末に適用すると共に、第２の通信端末を車両に搭載されている車載機に適用し、センター側端末が移動通信網を通じて車載機にデータを配信するシステムに適用した一実施例について、図面を参照して説明する。
【００１７】
まず、図２は、移動通信システムの全体構成を概略的に示している。センター１に設置されているセンター側端末２は、端末の動作全般を制御するＣＰＵ３と、回線交換方式による移動通信を制御する回線交換制御部４と、パケット交換方式による移動通信を制御するパケット交換制御部５と、無線処理を制御する無線部６とを備えて構成されている。この場合、無線部６は、回線交換制御部４により制御される回線交換方式による移動通信とパケット交換制御部５により制御されるパケット交換方式による移動通信とを同時に行うことが可能に構成されている。また、センター側端末２は、詳しくは説明しないが、オペレータが操作する操作部（図示せず）や、データを記憶する記憶部（図示せず）や、データを表示する表示部（図示せず）などをも備えて構成されている。
【００１８】
車両７に搭載されている車載機８は、機器の動作全般を制御するＣＰＵ９と、回線交換方式による移動通信を制御する回線交換制御部１０と、パケット交換方式による移動通信を制御するパケット交換制御部１１と、無線処理を制御する無線部１２とを備えて構成されている。この場合、無線部１２も、センター側端末２の無線部６と同様にして、回線交換制御部１０により制御される回線交換方式による移動通信とパケット交換制御部１２により制御されるパケット交換方式による移動通信とを同時に行うことが可能に構成されている。また、車載機８は、車両７の乗員（特には運転手）が操作する操作部（図示せず）や、データを記憶する記憶部（図示せず）や、データを表示する表示部（図示せず）や、データを音声出力する音声出力部（図示せず）などをも備えて構成されている。
【００１９】
このように構成された移動通信システムでは、センター側端末１２は、例えば車両７の運転を支援するためのデータ（現在位置から目的地に至るまでの経路を示すデータ、事故の発生状況を示すデータあるいは渋滞の発生状況を示すデータなど）を移動通信網１３を通じて送信し、車載機３は、センター側端末１２から送信されたデータが移動通信網１３を通じて受信されると、受信されたデータを表示部に表示したり音声出力部から音声出力することにより、これらの運転を支援する情報を運転手に提供する。
【００２０】
次に、上記した構成の作用について、図１を参照して説明する。
まず、センター側端末２は、回線交換方式により車載機８を発信先として発信し、回線交換方式による呼を確立する。このとき、移動通信網１３は、センター側端末２が発信者電話番号通知サービスの契約を締結していれば、発信者電話番号、つまり、センター側端末２に付与されている電話番号を車載機８に通知する。尚、移動通信網１３がセンター側端末２に付与されている電話番号を車載機８に通知することに限らず、図１に示すように、センター側端末２が発信者電話番号を車載機８に直接通知しても良い。
【００２１】
車載機８は、センター側端末２または移動通信網１３から発信者電話番号が回線交換方式により通知されると、通知された発信者電話番号と、予め電話帳データとして登録されている電話番号とを照合する（ステップＳ１）。そして、車載機８は、センター側端末２または移動通信網１３から通知された発信者電話番号と、予め電話帳データとして登録されている電話番号とが一致している旨を検出すると、パケット交換方式によるパケットの受信を待機する（ステップＳ２）。
【００２２】
センター側端末２は、回線交換方式により車載機８を発信先として発信してから所定時間が経過した後に、パケットの送信要求を示すパケットとして、自己に付与されている電話番号（本発明でいう識別番号）を送信元情報として格納すると共に車載器８に付与されている電話番号（本発明でいう識別番号）を送信先情報として格納し、自己に付与されている電話番号が送信元情報として格納されると共に車載器８に付与されている電話番号が送信先情報として格納されたパケットを移動通信網１３に送信する。
【００２３】
車載機８は、移動通信網１３からパケットの送信要求を示すパケットが受信されると、受信されたパケットに送信元情報として格納されている電話番号を抽出し、これよりも先にセンター側端末２または移動通信網１３から通知された発信者電話番号と、抽出された電話番号とを照合する（ステップＳ３）。そして、車載機８は、センター側端末２または移動通信網１３から通知された発信者電話番号と、抽出された電話番号とが一致している旨を検出すると、パケットの送信許可を示すパケットを移動通信網１３に送信する。
【００２４】
センター側端末２は、移動通信網１３からパケットの送信許可を示すパケットが受信されると、これ以降、データが格納されたパケットを移動通信網１３に送信し、車載機８との間でパケット交換方式によるデータ通信を行う。そして、センター側端末２は、パケット交換方式によるデータ通信を終了すると、パケットの送信終了を示すパケットを移動通信網１３に送信すると共に、回線交換方式により解放（切断）を車載機８に通知する。
車載機８は、移動通信網１３からパケットの送信終了を示すパケットが受信されると、パケットの受信の待機を解除すると共に（ステップＳ４）、回線交換方式による呼を解放する。
【００２５】
ところで、以上は、センター側端末２が車載機８との間で回線交換方式による呼を確立している途中でデータが格納されたパケットを移動通信網１３に送信する構成を説明したものであるが、センター側端末２が車載機８を呼出している途中でデータが格納されたパケットを移動通信網１３に送信する構成であっても良く、また、センター側端末２が車載機８との間で回線交換方式による呼を解放した後にデータが格納されたパケットを移動通信網１３に送信する構成であっても良い。
【００２６】
以上に説明したように本実施例によれば、センター側端末２が移動通信網１３を通じて車載機８にデータを配信するシステムにおいて、パケットを受信する車載機８では、回線交換方式による呼に基づいてセンター側端末２または移動通信網１３から通知された発信者電話番号と、パケット交換方式による呼に基づいてセンター側端末から通知されたパケットに送信元情報として格納されている電話番号とが一致したことを条件として、これ以降のデータが格納されたパケットの受信を許可するように構成したので、パケットの送信元が回線交換方式による呼の相手先であることを確認することにより、パケットの送信元を認証した上でデータが格納されたパケットを受信することができ、セキュリティを適切に確保することができる。
【００２７】
また、パケットを受信する車載機８では、回線交換方式による呼に基づいてセンター側端末２または移動通信網１３から通知された発信者電話番号と、パケット交換方式による呼に基づいてセンター側端末２から通知された送信元情報として格納されている電話番号とを照合するのに先立って、回線交換方式による呼に基づいてセンター側端末２または移動通信網１３から通知された発信者電話番号と、予め電話帳データとして記憶されている電話番号とが一致したことを条件として、移動通信網１３からのパケットの受信を待機するように構成したので、セキュリティの強度を高めることができる。
【００２８】
また、センター側端末２が車載機８との間で回線交換方式による呼を確立している途中でデータが格納されたパケットを移動通信網１３に送信するように構成したので、センター側端末２では、車載機８との間で回線交換方式による呼を確立しながら、データが格納されたパケットを送信することにより、例えば回線交換方式により音声をも同時に送信することができ、利便性を高めることができる。
【００２９】
また、センター側端末２が車載機８を呼出している途中でデータが格納されたパケットを移動通信網１３に送信するように構成すれば、センター側端末２では、車載機８との間で回線交換方式による呼を確立することなく、データが格納されたパケットを送信することにより、回線交換方式による接続料金を不要とすることができ、経済性を高めることができる。
【００３０】
さらに、センター側端末２が車載機８との間で回線交換方式による呼を解放した後にデータが格納されたパケットを移動通信網１３に送信するように構成すれば、センター側端末２では、車載機８との間で回線交換方式による呼を占有することなく、データが格納されたパケットを送信することにより、その分、他の通信端末の発信を妨げることがなく、他の通信端末の発信成功率を高めることができる。
【００３１】
本発明は、上記した実施例にのみ限定されるものではなく、以下のように変形または拡張することができる。
センター側端末が移動通信網を通じて車載機にデータを配信するシステムに適用する構成に限らず、端末間で移動通信網を経由してデータを通信する他のシステムに適用する構成であっても良い。
センター側端末が無線通信を行うシステムに適用する構成に限らず、センター側端末が移動通信網の中継点（基地局など）との間で有線通信を行うことにより、車載機が中継点との間で無線通信を行う構成であっても良い。
【図面の簡単な説明】
【図１】本発明の一実施例の処理を示すシーケンス図
【図２】全体構成を概略的に示す図
【符号の説明】
図面中、２はセンター側端末（第１の通信端末）、８は車載機（第２の通信端末）である。
【図１】
2004241982.tif 000003
【図２】
2004241982.tif 000004